(57)【要約】【課題】ＰＡＭにおいて、被検者や術者の照射光からの安全性を確保しつつ、被検体を圧迫保持する際に術者が手技を行いやすくなるような技術を提供する。【解決手段】光を遮断するカバーと、前記カバーで覆われる、被検体を保持する二枚のプレートと、レーザ光源と、前記レーザ光源から光を照射された前記被検体から発生する音響波を受信する探触子と、を有し、前記カバーには、被検者の一部である被検体を当該カバーの内部に挿入するための第一の開口部と、前記プレートを延長した面が当該カバーと交わる位置に、術者が当該カバーの内部に手を入れて手技を行うことができるような、開閉できる第二の開口部と、が設けられていることを特徴とする生体情報取得装置を用いる。【選択図】図１Ａ
2011224205.tif 000002
【特許請求の範囲】
【請求項１】
光を遮断するカバーと、
前記カバーで覆われる、
被検体を保持する二枚のプレートと、
レーザ光源と、
前記レーザ光源から光を照射された前記被検体から発生する音響波を受信する探触子と、
を有し、
前記カバーには、被検者の一部である被検体を当該カバーの内部に挿入するための第一の開口部と、前記プレートを延長した面が当該カバーと交わる位置に、術者が当該カバーの内部に手を入れて手技を行うことができるような、開閉できる第二の開口部と、が設けられている
ことを特徴とする生体情報取得装置。
【請求項２】
前記被検体を照らす照明と、
前記被検体を撮影するカメラと、
をさらに有し、
前記カメラが撮影した前記被検体の映像をモニタに出力する
ことを特徴とする請求項１に記載の生体情報取得装置。
【請求項３】
前記第二の開口部の開閉の状態を検知するセンサと、
前記レーザ光源からの光を遮断するシャッタと、
前記センサが前記第二の開口部が開いたと検知した場合、前記レーザ光源のＱスイッチをオフにする制御と、前記シャッタでレーザ光源からの光を遮断する制御の少なくともいずれかを行う制御部と、
をさらに有することを特徴とする請求項１に記載の生体情報取得装置。
【請求項４】
前記第二の開口部は、ドアロックを有するドアであり、
前記センサは前記ドアロックがドアをロックする位置から動いた場合に、前記第二の開口部が開いたと検知する
ことを特徴とする請求項３に記載の生体情報取得装置。
【請求項５】
前記カバーには、前記ドアを保持するマグネットキャッチが設けられている
ことを特徴とする請求項４に記載の生体情報取得装置。
【発明の詳細な説明】
【技術分野】
【０００１】
本発明は被検体から放出された音響波を画像化する生体情報取得装置に関する。
【背景技術】
【０００２】
がんに起因して発生する血管新生を特異的に画像化する方法として、ＰＡＴ（Photoacoustic tomography：光音響トモグラフィ）が注目されている。ＰＡＴは光（例えば近赤外線）を生体に照射し、生体内部から発せられる音響波を超音波探触子で受信して画像化する方式である。この音響波は光音響波とも呼ばれ、典型的には超音波である。非特許文献１では、ＰＡＴの原理を用いて生体内の生体情報を取得する方法が述べられている。ここには被検体を乳房とするＰＡＭ（Photoacoustic mammography：光音響マンモグラフィ）
が記載されている。
【０００３】
図５は非特許文献１の測定方式を模式的に側面から図示したものである。図５において、Ｎｄ：ＹＡＧレーザ１０９は、被検体（乳房）照射するための光を発する光源である。光学系１１０はＮｄ：ＹＡＧレーザ１０９から発せられたレーザ光を被検体に照射するためのものである。走査機構１１１は、光学系１１０の一部を搭載し、上下（図５の矢印方向）、左右（図５の奥行き方向）に光学系１１０を走査させる。超音波探触子１１２は被検体から発せられた光音響波を受信するためのものである。走査機構１１１の照射位置から、画像化するための超音波探触子１１２の受信素子を選択し、受信信号に増幅、ディジタル変換を行い、画像再構成する。また、ガラス窓１０７は光学系１１０からの照射光を透過し、かつ超音波探触子１１２との間で被検体を圧迫保持する。被検者は不図示のベッドに伏臥位になり、被検体である乳房をベッドの挿入穴に入れ、超音波探触子１１２とガラス窓１０７で乳房を圧迫保持する。非特許文献１では図５に示す方式でＰＡＴ信号から生体内の画像を取得している。
【先行技術文献】
【非特許文献】
【０００４】
【非特許文献１】Srirang Manohar, et al., The Twente photoacoustic mammoscope: system overview and performance, Physics in Medicine and Biology 50 (2005) 2543-2557.
【発明の概要】
【発明が解決しようとする課題】
【０００５】
上記の技術では、光源として高出力のＮｄ：ＹＡＧレーザ１０９が使用されている。したがって被検者や術者の安全性を確保するため、装置全体を遮光する必要がある。ところが、非特許文献１では遮光について述べられておらず、十分に遮光できているとは言い切れなかった。
【０００６】
また、ＰＡＭにおいて、光音響波を発生させるためには、光音響波を発生させたい領域まで光を照射する必要がある。ところが、照射光は被検体の表面から進入する際に拡散し、被検体内で減衰する。そのため、必ずしも被検体の奥深くまで光が進入できるわけではない。そうすると、照射光が届かない領域の生体情報を取得することができない。また、照射光が届いたとしても、拡散や減衰によりその強度が弱くなれば、発生する光音響波の音圧も低下し、コントラスト解像度が低下する。
【０００７】
被検体の奥深くまで必要な強度で照射光を到達させるためには、被検体の厚みを薄くするように、被検体を圧迫保持する必要がある。そのためには、Ｘ線マンモグラフィにおい
て乳房を圧迫保持するときと同様に、術者（医師、技師など測定者）の手技による方法を適用することが好ましい。手技とは術者の手によって被検体を引っ張る、あるいは押し広げながら圧迫保持するといった、直接術者が被検体に触れて行う作業のことである。
【０００８】
しかしながら、非特許文献１では超音波探触子１１２とガラス窓１０７との間で被検体を圧迫保持する方法について述べられていない。特に被検体が自然下垂の状態で圧迫保持しようとしても、被検体が上方へ移動してしまい、十分な圧迫保持ができないことがあった。
【０００９】
本発明は上記の課題に鑑みてなされたものであり、その目的は、ＰＡＭにおいて、被検者や術者の照射光からの安全性を確保しつつ、被検体を圧迫保持する際に術者が手技を行いやすくなるような技術を提供することにある。
【課題を解決するための手段】
【００１０】
上記課題を解決するために、本発明は以下の構成を採用する。すなわち、光を遮断するカバーと、前記カバーで覆われる、被検体を保持する二枚のプレートと、レーザ光源と、前記レーザ光源から光を照射された前記被検体から発生する音響波を受信する探触子と、を有し、前記カバーには、被検者の一部である被検体を当該カバーの内部に挿入するための第一の開口部と、前記プレートを延長した面が当該カバーと交わる位置に、術者が当該カバーの内部に手を入れて手技を行うことができるような、開閉できる第二の開口部と、が設けられていることを特徴とする生体情報取得装置である。
【発明の効果】
【００１１】
本発明によれば、ＰＡＭにおいて、被検者や術者の照射光からの安全性を確保しつつ、被検体を圧迫保持する際に術者が手技を行いやすくなる。
【図面の簡単な説明】
【００１２】
【図１Ａ】実施例１における装置の外観を説明する図である。
【図１Ｂ】実施例１における装置の内部構成を説明する図である。
【図１Ｃ】実施例１における装置の外観の別の例を説明する図である。
【図２】実施例２における装置の内部構成を説明する図である。
【図３】実施例３における装置の内部構成と発光制御を説明する図である。
【図４】実施例４における装置の手技用ドアの構成を説明する図である。
【図５】背景技術における装置の構成を説明する図である。
【発明を実施するための形態】
【００１３】
以下に図面を参照しつつ、本発明の好適な実施の形態を説明する。以下の実施例における生体情報取得装置は、被検体である被検者の乳房の内部画像を取得するためのＰＡＭ装置である。したがって、光源から光を照射され光エネルギーを吸収した被検体から発生する光音響波（例えば超音波）を検出し、画像再構成する。ただし、以下に記載されている構成部品の寸法、材質、形状及びそれらの相対配置などは、発明が適用される装置の構成や各種条件により適宜変更されるべきものであり、この発明の範囲を以下の記載に限定する趣旨のものではない。なお、生体情報とは光照射によって生じた光音響波の発生源分布であり、生体内の初期音圧分布、あるいはそれから導かれる光吸収密度分布及び、それらの情報から得られる生体組織を構成する物質の濃度分布などである。例えば、物質の濃度分布とは酸素飽和度などである。
【００１４】
＜実施例１＞
図１Ａは、本実施例のＰＡＭ装置１００の外観を斜視図に示した模式図である。ＰＡＭ装置１００の周囲は外装カバー１で覆われている。外装カバー１は遮光のために設けられ
たものであり、ＰＡＭ装置１００が密閉されるように設置される。
【００１５】
そして、外装カバー１の一部には手技用ドア２を設けている。ここでは手技用ドア２が開いている状態を実線で示し、手技用ドア２が閉じている状態を点線で示した。なお、この図では手技用ドア２としてヒンジのついた開閉ドアを示したが、これに限定されず、例えばスライドドアでも構わない。手技用ドア２が開くと、手技用ドアの開口３がある。不図示の被検者はベッド４に伏臥位になり、被検体（乳房）を被検体挿入穴５から入れる。なお、ベッド４は外装カバー１の一部に含まれる。術者（医師、技師など測定者）は、手技用ドアの開口３からＰＡＭ装置内に手を入れ、被検体挿入穴５に入れた被検体を圧迫保持するための手技を行うことができる。被検体挿入穴は本発明の第一の開口部に、手技用ドアとその開口は第二の開口部に、それぞれ相当する。
【００１６】
続いて、図１Ｂを用いて、ＰＡＭ装置１００内の構成について説明する。本図は、ＰＡＭ装置１００の内部構成を模式的に示した図である。レーザ光源９は光音響波を発生させるための光源であり、Ｎｄ：ＹＡＧレーザや、Ｎｄ：ＹＡＧレーザとＴｉ：ｓａレーザの組み合わせが適用できる。その他アレキサンドライトレーザやＯＰＯなどでも有効である。光学系１０はレーザ光源９からのレーザ光を圧迫プレート越しに被検体へ照射する光学系である。光学走査機構１１は、被検体の広い領域に光を照射するため、光学系１０を走査するものである。
【００１７】
探触子１２は被検体から発せられた光音響波を受信するものであり、その受信面は保持プレート６に音響マッチング剤（不図示）を介して密着している。探触子１２は探触子走査機構１３に搭載され、その中心は照射光の中心と対向するよう、光学走査機構１１と連動して位置決め制御される。探触子１２が受信した光音響波は、電気信号に変換されて不図示の信号処理装置に送られる。信号処理装置はＣＰＵ等であり、電気信号を増幅し、ディジタル変換した後、画像再構成を行い、生体情報を画像データとして取得する。
【００１８】
なお、ここでは探触子１２は探触子走査機構１３に搭載する構成について説明したが、実際の構成はこれに限定されない。例えば大判の探触子が保持プレート６を兼ねれば、探触子走査機構１３がなくても良い。また、本図では被検体に対し、圧迫プレート７の方向から光を照射し、保持プレート６側に探触子１２を設けたが、その反対の配置でも有効である。ただしその場合、圧迫プレート７と探触子１２は音響マッチング剤を介して密着する必要がある。あるいは光学系と探触子を同じ側のプレートに配置することもできる。さらに、圧迫機構は圧迫プレート７にのみあるものとしたが、保持プレート６にも圧迫機構８を設け、圧迫稼動させても良い。この場合も保持プレート６と探触子１２は音響マッチング剤を介して密着することが好ましい。
【００１９】
引き続き、図１Ｂを用いて、圧迫保持のための手技と手技に必要な構成について説明する。手技用ドア２（不図示）を開けると、破線で示した手技用ドアの開口３の奥に、保持プレート６と圧迫プレート７が見える。その位置関係は、保持プレート６と圧迫プレート７、すなわち被検体を圧迫保持する二枚のプレートの一方の圧迫保持面に沿った方向（面内方向）に手技用ドアの開口３ならびに手技用ドア２を設けている。言い換えると、プレートを延長した面が外装カバーと交わる位置に開口部とドアが設けられる。手技用ドアを閉じた状態では光が装置の外部へ照射されない。なお、圧迫保持面とは、被検体を圧迫保持する際に、各プレートと被検体とが接触する面のことである。
【００２０】
被検者が被検体挿入穴５から入れた被検体は、保持プレート６と圧迫プレート７の間に入る。そして、圧迫機構８が操作されて圧迫プレート７が移動することによって、被検体が圧迫保持される。圧迫保持方法は次のとおりである。まず、被検者が被検体を被検体挿入穴５に入れる。続いて、術者は手技用ドア２（不図示）を開け、手技用ドアの開口３か
ら手を入れて被検体を引っ張る。そして、被検体の圧迫プレート７側を掌で押さえながら、圧迫機構８を駆動し、被検体を圧迫していく。さらに掌で被検体を伸ばしながら手を抜き、再度圧迫する。そうすると、保持プレート６と圧迫プレート７との間の距離を小さくでき、被検体の厚みを薄くでき、さらに被検体がしっかりと保持される。
【００２１】
以上、実施例１で説明したＰＡＭ装置１００は、外装カバー１と手技用ドア２を設けることにより、ＰＡＭ装置１００を密閉できるため、被検者や術者の照射光からの安全性を確保している。さらに、保持プレート６と圧迫プレート７の圧迫保持面に沿った方向に手技用ドア２を設けることにより、術者が手技用ドアの開口３から装置内部に手を入れて被検体に手技を行う際に、保持プレート６や圧迫プレート７が障害とならずに済む。したがって、被検体を引っ張る、あるいは押し広げながら圧迫保持し、圧迫保持の距離をできる限り狭くすることが可能である。その結果、被検体の奥深くまで照射光を到達させることができ、照射光が届かない領域をなくすか、少なくすることが可能となる。さらに、被検体の内部に届く光の強度を強くできるので、光音響波の音圧も強くなり、ひいては取得される画像データのコントラスト解像度を向上させることができる。
【００２２】
以上の説明では、被検者がベッド４に伏臥位になり、被検体を圧迫保持する方法について説明したが、被検体を圧迫保持するための構成はこれに限定されない。例えば図１Ｃに示すように、一般的なＸ線マンモグラフィのように被検者が立位になり、被検体挿入穴５に乳房を入れて圧迫保持する構成を取ることもできる。この場合も、外装カバー１に手技用ドア２を設け、術者は手技用ドアの開口３から手を入れて乳房を引き伸ばすことになる。このような構成は、以降の実施例のＰＡＭ装置にも適用できる。
【００２３】
＜実施例２＞
実施例１では、外装カバー１の手技用ドアの開口３ならびに手技用ドア２を、保持プレート６と圧迫プレート７の圧迫保持面に沿った方向に設け、術者による被検体の圧迫保持の際に手技を行いやすくした。実施例２では、さらに術者が手技を行いやすくするために、被検体を観察できるようにしている。
【００２４】
図２に本実施例のＰＡＭ装置１００の構成を示す。図１Ｂと同じ部品については同じ番号を付けて、説明を省略する。また、図の簡略化のために、レーザ光源、光学系、光学走査機構、探触子および探触子走査機構は省いている。図示したように、本実施例のＰＡＭ装置は、カメラ１４を圧迫プレート７の垂直方向に設け、さらに、被検体を照らす照明１５（ライト）を設ける。そして、カメラ１４からの映像を表示するモニタ１６を外装カバー１に設ける。カメラ１４としては、例えばビデオカメラを利用できる。
【００２５】
なお本実施例では、カメラ１４を、圧迫プレート７を挟んで被検体を撮影する側に設けたが、設置位置はこれに限定されず、保持プレート６の側に設けても良い。さらに照明１５はカメラ１４と同じ向きに設けることが好適であるが、これに限定さない。例えば、下方から照明で照らすような配置や、カメラ１４の反対側から照らす配置を取っても良い。さらに、モニタ１６は圧迫保持の際に術者に提示できれば良いので、ＰＡＭ装置１００の内外いずれでも良い。すなわち、カメラで撮影した映像は、ＰＡＭ装置に設置されたモニタに出力されても良く、装置とは離れたモニタに出力されても良い。
【００２６】
以上の構成を持つＰＡＭ装置１００は、照明１５で被検体を明るくし、カメラ１４で撮影した被検体の圧迫保持状態を表わす映像を、モニタ１６に表示する。そのため術者は被検体を観察しやすくなり、被検体を圧迫保持する手技をより容易に行うことができる。
【００２７】
＜実施例３＞
本実施例では、ドアを開けた時の照射光の発光制御について説明する。図３に本実施例
のＰＡＭ装置１００の内部構成を示す。図１Ａ及び図１Ｂと同じ部品については同じ番号を付し、説明を省略する。また、図の簡略化のために光学系、光学走査機構、探触子、探触子走査機構は省いている。図示したように、本実施例のＰＡＭ装置１００は、制御部１７、ドア開閉検知センサ１８、シャッタ１９を備える。
【００２８】
被検者と術者の安全性を確保するために、手技用ドア２が開いたときは、レーザ光源９の発光を停止するか、照射光を遮断する必要がある。その制御を行うのが、制御部１７である。また、手技用ドア２の開閉を検知するドア開閉検知センサ１８を手技用ドア２あるいは手技用ドアの開口３に設ける。ドア開閉検知センサ１８としては接触式のリミットセンサが好適である。また、レーザ光源９から発光されたレーザ光を遮光するためのシャッタ１９を設ける。なお、シャッタ１９はレーザ光源９の外部に設けるよう図示したが、レーザ光源９の内部に設けても良い。
【００２９】
ところで、レーザ光源９の発光を停止するためには、Ｑスイッチをオフにする方法と、フラッシュランプをオフにする方法がある。Ｑスイッチをオフにする方法であれば、レーザ光源９は励起した状態を保てるため、レーザ光源９の再起動に時間を要さず、発光が停止した状態からすぐに発光の再開が可能となる。また、発光を停止するのではなく、シャッタ１９を閉じてレーザを遮断する方法でも、レーザ光源９を励起した状態に保つことができるので、すばやく光照射を再開することが可能となる。したがって、光照射を停止するために、Ｑスイッチをオフにするか、シャッタを閉じるかのいずれかの方法を用いれば、光照射を素早く再開して、被検体の画像取得をすぐに行うことができる。
【００３０】
そこで制御部１７は、手技用ドア２が開いたことをドア開閉検知センサ１８が検知した場合、レーザ光源９のＱスイッチをオフにするか、シャッタ１９を閉じる。その後、手技用ドア２を閉じたことをドア開閉検知センサ１８が検知した場合、制御部はレーザ光源のＱスイッチをオンにするか、シャッタを開くことにより、光照射を再開する。なお、安全性をより一層向上させる観点から、制御部１７は、手技用ドア２が開いたことをドア開閉検知センサ１８が検知した場合、レーザ光源９のＱスイッチのオフとシャッタ１９を閉じることを両者とも行うことも好ましい。 
【００３１】
以上、説明したように、本実施例のＰＡＭ装置では、手技用ドア２が開いたことを検知すると、制御部がレーザ発光を停止したり、照射光を遮断したりするため、被検者や術者の照射光からの安全性を確保できる。
【００３２】
＜実施例４＞
本実施例では、被検者および術者の安全を確保するためにレーザ光を遮断する構成について説明する。本実施例のＰＡＭ装置は、上記の実施例３と同様に、Ｑスイッチをオフにして発光を停止する制御や、シャッタを閉じる動作によって照射光を遮断する制御を行うことができるものである。
【００３３】
図４（ａ）は手技用ドア２の側面図である。手技用ドア２には開閉するためのドアノブ２ａと、ドアロック２ｂがあり、ドアロック２ｂにドア開閉検知センサ１８が反応するように装着している。この状態を図示したものが図４（ｂ）である。図４（ｂ）はドアロック２ｂを中心に背面図を図示したものである。また図４（ａ）に示したように、ドアロック２ｂを開けてもすぐに手技用ドア２が開かないようにするため、ＰＡＭ装置１００本体のフレーム２０の手技用ドア２の開口付近にはマグネットキャッチ２ｃを設ける。
【００３４】
以上、本実施例で説明したＰＡＭ装置では、手技用ドア２が開く前に、ドア開閉検知センサ１８がドアロック２ｂの動きを検知できる。そしてドアロック２ｂを、ドアを開く方向に回転しきっても、マグネットキャッチ２ｃがあるおかげで、手技用ドア２が容易に開
かないようになっている。したがって、ドア開閉検知センサがドアロックの動きを検知したときに、Ｑスイッチをオフにするかシャッタを閉じてレーザ光を制御することにより、被検者や術者への光照射を防ぎ、安全に測定を行うことが可能になる。また、Ｑスイッチのオフとシャッタを閉じることを併用することも、さらなる安全性向上の観点から好ましい。
【００３５】
なお、実施形態３及び４では、被検者および術者の安全を確保するために、レーザ光源の発光を停止する構成、あるいはレーザ光を遮断する構成について述べたが、レーザ光が照射されている間は手技用ドアが開かない構成にしてもよい。具体的には、ＰＡＭ装置が光センサを有し、レーザ光の一部を光センサに照射し、この光センサが光を検知する間は、外装カバーの内側から手技用ドアのロックがかかった状態で、手技用ドアのドアノブが回転しない構成にしてもよい。
【符号の説明】
【００３６】
１００：ＰＡＭ装置，１：外装カバー，２：手技用ドア，３：手技用ドアの開口，４：ベッド，５：被検体挿入穴，６：保持プレート，７：圧迫プレート，９：レーザ光源，１２：探触子
【図１Ａ】
2011224205.tif 000003
【図１Ｂ】
2011224205.tif 000004
【図１Ｃ】
2011224205.tif 000005
【図２】
2011224205.tif 000006
【図３】
2011224205.tif 000007
【図４】
2011224205.tif 000008
【図５】
2011224205.tif 000009